【手続補正書】
【提出日】平成17年3月22日(2005.3.22)
【手続補正１】
【補正対象書類名】特許請求の範囲
【補正対象項目名】全文
【補正方法】変更
【補正の内容】
【特許請求の範囲】
【請求項１】
互いに絡み合わされた、かつこの限りでは硬化させられた天然または合成の種類の繊維から成る製品ウェブ、有利には、流体力学的な交絡のような湿式処理が行われる場合にまたは高品質化工程において乾燥処理もなされる綿不織布のような不織布に、無色の模様付けをするための方法であって、製品ウェブを、流体に影響を及ぼす正圧および負圧によって、透過部を備えた搬送エレメントに押し付け、かつ前記透過部の横断面によって、絵模様を製品ウェブに生ぜしめる方式のものにおいて、流体を、搬送エレメントの前記透過部の領域において、かつ搬送エレメントの、製品ウェブを支持する滑らかな面の領域においても、全面にわたって導出することを特徴とする、製品ウェブに無色の模様付けをするための方法。
【請求項２】
流体として水を使用する、請求項１記載の方法。
【請求項３】
絵模様を生ぜしめるための正圧を、しかしながら実質的には負圧を、空気またはガスの流体によって形成する、請求項１記載の方法。
【請求項４】
流体を、空気またはガスを加熱する、請求項３記載の方法。
【請求項５】
ガスとして蒸気を使用する、請求項４記載の方法。
【請求項６】
絵模様を、製品ウェブの乾燥に際して生ぜしめる、請求項３から５までのいずれか１項記載の方法。
【請求項７】
絵模様を、製品ウェブの乾燥工程後に生ぜしめる、請求項１から３までのいずれか１項記載の方法。
【請求項８】
絵模様を、乾燥した不織布に、蒸気によって生ぜしめる、請求項３から７までのいずれか１項記載の方法。
【請求項９】
互いに絡み合わされた、かつこの限りでは硬化させられた天然または合成の種類の繊維から成る製品ウェブ、有利には、流体力学的な交絡のような湿式処理が行われる場合にまたは高品質化工程において乾燥処理もなされる綿不織布のような不織布に、無色の模様付けをするための、ケーシング（１）の内側で回転するドラム（５）を備えた装置であって、この場合、製品ウェブが、流体に影響を及ぼす正圧および負圧によって、透過部（１４）を備えたドラム（５）に押し付けられており、かつ前記透過部（１４）の横断面が、絵模様（１３）を製品ウェブに生ぜしめるようになっている形式のものにおいて、ドラム（５）の外側の周面が、絵を表す透過部（１４）を備えており、該透過部（１４）が多様に模様付与するように、載置されている製品ウェブに対して働くようになっており、かつドラム（５）が全体的に、製品ウェブを支持する全面にわたって微細穿孔されていて、ひいては流体透過性に形成されており、この場合、模様付与する前記透過部（１４）が、製品ウェブを支持する面の微細穿孔部よりも大きく寸法設定されていることを特徴とする、製品ウェブに無色の模様付けをするための装置。
【請求項１０】
ドラム（５）の周面自体が、絵模様パターン（１３）を備えている、請求項９記載の装置。
【請求項１１】
ドラム（５）が、模様パターン（１３）を有している搬送エレメントで覆われており、かつ該搬送エレメントが、連続的に進行するシートまたは帯材として形成されている、請求項９記載の装置。
【請求項１２】
模様付与する周面が、シート（９）または鋼帯材が、間隔を置いてドラム（５）に張られている、請求項１１記載の装置。
【請求項１３】
前記透過部の横断面が、任意に搬送エレメント（５，９）の面にわたって位置調整された、絵を表す真っ直ぐなまたは曲線状のギャップ（１４）または孔から成っている、請求項１０から１２までのいずれか１項記載の装置。
【請求項１４】
ギャップ、孔（１４）およびこれに類するものが、名前、絵、任意の模様となるように組み合わされている、請求項１３記載の装置。
【請求項１５】
ギャップ、孔（１４）およびこれに類するものが、打抜き加工、レーザ加工または他の何らかの方法で、ドラム周面（５，９）に加工成形されている、請求項１３または１４記載の装置。
【手続補正２】
【補正対象書類名】明細書
【補正対象項目名】全文
【補正方法】変更
【補正の内容】
【書類名】明細書
【発明の名称】製品ウェブに無色の模様付けをするための方法および該方法を実施するための装置
【技術分野】
【０００１】
本発明は、互いに絡み合わされた、かつこの限りでは硬化させられた天然または合成の種類の繊維から成る製品ウェブ、有利には、流体力学的な交絡のような湿式処理が行われる場合にまたは高品質化工程において乾燥処理もなされる綿不織布のような不織布に、無色の模様付けをするための方法であって、製品ウェブを、流体に影響を及ぼす正圧および負圧によって、透過部を備えた搬送エレメントに押し付け、かつ前記透過部の横断面によって、絵模様を製品ウェブに生ぜしめる方式のものに関する。
【背景技術】
【０００２】
前記のような方法は、ヨーロッパ特許公開０１０５７３０によって公知である。ここでは、ドラムに載置されていて棒材または線材から成っている、模様付与するエンドレスベルト（このエンドレスベルトに製品ウェブが載置されている）に向かって、熱い空気が案内される。類似のものが、ドイツ連邦共和国特許第１９９２９１０５号明細書に開示されており、この場合、模様付与する構造スクリーンに載置されている不織布に、水が噴出される。両事例では、模様が製品ウェブに、エンドレスベルトの構造パターンによって生ぜしめられる。
【０００３】
アメリカ合衆国特許第５１１５５４４号明細書またはドイツ連邦共和国特許第１９９１２２７９号明細書またはドイツ連邦共和国特許第１９９１２９０５号明細書によって、プロフィルを付与する隆起部をスクリーンに備えることが公知であり、前記隆起部に、模様付けをしたい不織布が、水噴流によって押し付けられる。どのような図形が隆起部としてエンドレススクリーンに施されているかに応じて、極めて種々異なる模様を、場合によっては孔模様として生ぜしめることもできる。類似のものがヨーロッパ特許公開第０５１１０２５号明細書に開示されている。これによれば、やはりスクリーンにおける隆起部が、無色の模様付けをするために働く。ここでは、繊維を移動させるための媒体として、熱い空気を使用することもできる。
アメリカ合衆国特許第４４９９６３７号明細書には、空気によって無色の模様付けをするための、比較的にコスト高な方法が開示されている。ここでは、高エネルギの空気噴流が、コンピュータ制御されたノズルから製品ウェブに吹き付けられる。さらに、ドイツ連邦共和国特許第２１０９１４３号明細書によって、所望の模様に相応した切欠を備えたステンシル（このステンシルに、加圧下の熱空気が吹き付けられる）を、製品ウェブにわたって移動させることが公知である。しかしながら、色刷り方法に基づいて公知の前記方法も、満足のいくものではなかろう。同じことが、ドイツ連邦共和国特許第２０２１１１８８号明細書に記載された着想について言える。この場合、ステンシルによる模様付けは、やはり熱い空気により次のことによって行われ、すなわち空気が、パイル状の製品ウェブの個々の繊維を、所望の模様に収縮させることによって行われる。
【０００４】
冒頭に述べた形式の方法から出発して、本発明の課題は、多大なコストをかけることなく連続的に、任意の模様を不織布またはこれに類するものに強制的に付けることができる、しかも搬送用のエンドレスベルトの構造パターンに留意する必要なしに強制的に付けることができる方法を提供することである。
【０００５】
前記課題を解決するために本発明では、流体を、搬送エレメントの前記透過部の領域において、かつ搬送エレメントの、製品ウェブを支持する滑らかな面の領域においても、全面にわたって導出することが考えられる。すなわち、搬送エレメントの構造が絵模様を生ぜしめるのではなく、搬送エレメントに存在する透過部の横断面が絵模様を生ぜしめるのである。しかもこのためには、前記透過部を形成していて製品ウェブを支持している滑らかな面も、流体に対して透過性である。
製品ウェブは、湿式処理の事例では、例えばこの製品ウェブが流体力学的な交絡によって硬化させられた場合には、どっちみち乾燥させられなければならない。スクリーンドラム乾燥器のような熱処理装置が、絵を生ぜしめる透過部を備えた周面を有している場合、付加的なコストのかかることなく所望の模様がひとりでに生じ得る。
繊維は負圧によって模様パターンの開口を通って部分的に吸われるので、３次元的な無色の模様が、固有の繊維から不織布に生ぜしめられる。しかしながら本発明による方法は、乾燥工程なしに実施することもでき、冷たい空気によっても、暖かいまたは熱い空気、蒸気または流体によっても実施することができる。
【０００６】
当該方法を実施するための装置が、図面に例示されている。図１には、汎用のスクリーンドラム装置の長手方向断面図が示されており、図２には、スリットから成っている絵としての種々異なる模様パターンを備えたドラムの周面の平面図が示されている。
【０００７】
標準的なスクリーンドラムは、ほぼ方形のケーシング１を有しており、このケーシング１は隔壁２によって、処理室３とベンチレータ室４とに区分されている。処理室３内ではスクリーンドラムが、かつベンチレータ室４内では前記スクリーンドラムに対して同心的にベンチレータ６が、回転可能に支承されている。もちろんベンチレータ室は、スクリーンドラムケーシング１から切り離された、別個のベンチレータケーシング（ここでは図示せず）内に配置されていてもよい。いずれにせよベンチレータは、ドラムの内部を吸込み通風下に置く。
【０００８】
図１によれば、ベンチレータ６の上側および下側に、それぞれ加熱ユニット７が配置されている。これらの加熱ユニット７は、加熱媒体で通流される管から成っている。ドラムの、不織布によって覆われていない領域は、内側が内側カバー部材８によって吸込み通風に対して覆われている。ドラムの効果的な周壁は、穿孔された金属薄板５によって形成されている。この金属薄板５の外側には、間隔を置いてシートまたは鋼帯材９が巻き掛けられていてよく、このシートまたは鋼帯材９は、ドラムの端面で両底部１１，１２に緊締された状態で保持されている。模様付与する開口は、直接的にドラムに加工成形されていてよいかまたは−シートが使用される場合には−シートに加工成形されていてもよい。この事例は、もはや汎用のスクリーンドラムではなく、模様付与する周面を備えた滑らかなドラムである。きれいでくっきりとかたどられた模様付与部のためには、吸い出された流体が模様面においてだけでなく全面にわたって導出され得るようにするために、ドラム、シートまたはこれに類するものが全体的に微細穿孔されているように空気透過性であるべきである。
【０００９】
上記の形式のスクリーンドラムは、一般的に、乾燥のために働く。製品ウェブを支持する滑らかな周面が、不織布に３次元的な模様１３を生ぜしめる透過部を有していることによって、前記スクリーンドラムは同時に無色の模様付けのために働くものであってよいかまたは無色の模様付けのためにしか働かないものであってもよい。これは、スリット１４、十字、長円形または円形の孔、またはこの他の開口であってよく、これらは別の開口と一緒に、所望の絵模様１３を生ぜしめる。仮想の形式の絵が図２に示されている。ここでは、さらに、絵模様「ＯＴＴＯ」に次のことが示されており、すなわち、シートまたはこれに類するものが模様「ＯＴＴＯ」に対してのみ透過性に形成されているのではなく、搬送エレメント９が全面にわたって透過性に例えば微細穿孔されていることが示されている。
【００１３】
模様付けをするための装置は連続装置内で、湿式処理に引き続いて、同時の乾燥のために使用することができるかまたは単に模様付けをするためにのみ使用することもできる。状況に応じて空気、流体または蒸気のような媒体が選択されなければならない。
【図面の簡単な説明】
【００１４】
【図１】汎用のスクリーンドラム装置の縦方向断面図である。
【図２】スリットから成っている図としての種々異なる模様パターンを備えたドラムの周面の平面図である。